(57)【特許請求の範囲】
【請求項１】
画像情報に応じたトナー像が形成担持される像担持体と、
前記像担持体上のトナー像を記録媒体に転写する一括転写手段と、
前記一括転写手段による一括転写終了後に前記像担持体上に残留する残留物をクリーニングするクリーナとを備え、
前記クリーナは、前記残留物を収容可能なクリーニングハウジングと、
前記クリーニングハウジング内に設けられて前記像担持体に対し接離可能に揺動するクリーニングブレードと、
前記クリーニングハウジング内にて前記クリーニングブレードの上流側に対向するように併設され且つクリーニングブレードに連動して前記像担持体に対し接離可能に揺動するトナー受け部と、
前記トナー受け部より前記像担持体の回転方向上流側に位置し、座屈した状態の記録媒体がクリーニングハウジング内へ進入するのを阻止するように前記クリーニングハウジングの一部を前記像担持体側に向けて突出形成されると共に像担持体と非接触配置される座屈進入阻止部材とを具備することを特徴とする画像形成装置。
【請求項２】
請求項１に記載の画像形成装置において、
前記座屈進入阻止部材先端部の突出方向と、当該先端部との対向部より上流側の像担持体表面との成す角度が、１２０°以上に設定されることを特徴とする画像形成装置。
【発明の詳細な説明】
【０００１】
【発明の属する技術分野】
本発明は、電子写真複写機等の画像形成装置に係り、特に、像担持体上に形成されたフルカラー画像等の可視像を記録媒体に一括転写するタイプの画像形成装置の改良に関する。
【０００２】
【従来の技術】
従来、例えば中間転写型の画像形成装置としては、静電潜像に応じたトナー像が形成される感光体と、この感光体上のトナー像が中間的に転写される中間転写ベルトと、この中間転写ベルトに対して感光体上のトナー像を転写する一次転写装置と、中間転写ベルト上のトナー像を用紙に一括して二次転写する二次転写装置とを備えたものが知られている（例えば特開平５−３２３７０４号公報参照）。
【０００３】
この種の画像形成装置では、転写前の用紙を二次転写装置に搬送し、また、二次転写後の用紙を定着して排出するまでの間に用紙詰まり（ジャム）を生じることがある。
このため、例えば上述の画像形成装置においては、二次転写前の位置決めセンサ（レジストセンサ）及び排紙センサにて用紙のジャムを検知するようにしている。
ところが、この種の画像形成装置にあっては、レジストセンサ位置や排紙センサ位置を用紙が通過しない時点で用紙のジャムを把握することは可能であるものの、両者の間、例えば二次転写装置近傍でジャムが発生した場合には、ジャムが検知されるまでタイムラグがあり、その間画像形成装置が動作し続けてしまうため、ジャムの後処理が面倒になってしまうという問題があった。
【０００４】
そこで、従来にあっては、例えば二次転写装置通過直後の位置に用紙検出センサを設け、用紙が通過すべきタイミングでセンサが用紙を検出しなかった場合に、画像形成装置を緊急停止させるようにしていた。
【０００５】
【発明が解決しようとする課題】
しかしながら、上述した画像形成装置にあっても、二次転写装置通過後すなわち前記用紙検出センサ通過後の用紙搬送経路の途中で用紙の先端が何らかの原因で引っ掛かってしまった場合には、画像形成装置を緊急停止できないために用紙後部が二次転写装置を通過して用紙が座屈してしまい、生じた座屈部位が中間転写ベルトの二次転写位置の下流側に配置された中間転写ベルトクリーナに進入し、中間転写ベルトクリーナを破損するという懸念を生ずるほか、中間転写ベルトクリーナに進入した用紙のジャム処理が面倒になってしまうという技術的課題が生じる。
【０００６】
尚、このような技術的課題は、上述した中間転写型の画像形成装置において顕著であるが、例えば感光体上のトナー像を用紙に直接転写するタイプの画像形成装置においても同様に生じ得るものである。
【０００７】
この発明は、以上の技術的課題を解決するためになされたものであって、転写後に座屈を生じた記録媒体がクリーナへ進入することによって生じる種々の弊害を効果的に回避する画像形成装置を提供するものである。
【０００８】
【課題を解決するための手段】
すなわち、本発明は、図１に示すように、画像情報に応じたトナー像が形成担持される像担持体１と、前記像担持体１上のトナー像を記録媒体３に転写する一括転写手段２と、前記一括転写手段２による一括転写終了後に前記像担持体１上に残留する残留物をクリーニングするクリーナ４とを備え、クリーナ４は、前記残留物を収容可能なクリーニングハウジングと、前記クリーニングハウジング内に設けられて前記像担持体１に対し接離可能に揺動するクリーニングブレードと、前記クリーニングハウジング内にて前記クリーニングブレードの上流側に対向するように併設され且つクリーニングブレードに連動して前記像担持体１に対し接離可能に揺動するトナー受け部と、前記トナー受け部より前記像担持体１の回転方向上流側に位置し、座屈した状態の記録媒体３がクリーニングハウジング内へ進入するのを阻止するように前記クリーニングハウジングの一部を前記像担持体１側に向けて突出形成されると共に像担持体１と非接触配置される座屈進入阻止部材５とを具備することを特徴とする。
【０００９】
このような技術的手段において、本願の対象となる画像形成装置の画像形成方式としては、電子写真方式、静電記録方式等適宜選定して差し支えなく、また、複数の色成分画像を形成する態様にあっては、一つの像担持体を使用するようにしてもよいし、複数の像担持体を使用するようにしてもよい。
また、像担持体１としては、トナー像が形成担持されるものであればベルト状、ドラム状を問わず、例えば感光体や誘電体からなる像形成担持体１ａのみからなる態様や、前記像形成担持体１ａと、この像形成担持体１ａ上のトナー像を一時的に転写するベルト状、ドラム状の中間転写体１ｂとを備えた態様等、適宜選定して差し支えないが、本願は、特に記録媒体３が座屈した状態でクリーナ４に突入しやすいベルト状の像担持体１を具備する画像形成装置に適用することが好ましい。
【００１０】
更に、一括転写手段２としては、像担持体１上のトナー像を記録媒体３に転写する機能を備えたものであれば、転写ロール方式、コロトロン方式等適宜選定して差し支えないが、転写電界の制御のし易さという観点からすれば、転写電界を狭い範囲で制御し易い転写ロール方式が好ましい。
【００１１】
また、座屈進入阻止部材５は、クリーニングハウジングの一部に設けられて、像担持体１とクリーニング部材とが対向するクリーニング部位の上流側の像担持体１に対し非接触に配置され、一括転写手段２を通過した記録媒体３が座屈した状態で前記クリーニング部位に進入するのを阻止する機能を備えたものであれば、その形状や材質については適宜選定して差し支えない。
ここで、クリーニング部位の上流側とは、記録媒体３が座屈した状態でクリーニング部位に進入するおそれのある位置をいう。
そして、座屈した記録媒体３を座屈進入阻止部材５にてスムーズに除去するという観点からすれば、座屈進入阻止部材５が、例えば板状や櫛状等の形状を有し、像担持体側の先端部が像担持体の移動方向に対向する方向に突出して配設される部材で構成されることが好ましく、このような態様にあっては、座屈進入阻止部材５先端部の突出方向と、当該先端部との対向部より上流側の像担持体１表面との成す角度が、１２０°以上に設定されることが好ましい。
【００１２】
また、本発明を他の観点から見れば、画像情報に応じたトナー像が形成担持される像担持体１と、前記像担持体１上のトナー像を記録媒体３に転写する一括転写手段２と、前記一括転写手段２による一括転写終了後に前記像担持体１上の残留物をクリーニングするクリーナ４とを備える画像形成装置のクリーナ４に対し、前記一括転写手段２を通過した記録媒体３先端部の搬送が阻害され且つ当該記録媒体３後部の搬送が継続されることにより当該記録媒体３に形成される座屈部位３ａが、前記クリーニング部位へ進入するのを阻止する座屈進入阻止部材５を具備することを特徴とするものということができる。
【００１３】
次に、上述した技術的手段の作用について説明する。
一括転写手段２を通過した記録媒体３が例えば搬送不良等の発生により座屈した状態となると、この記録媒体３は座屈した状態でクリーナ４側に向かって移動する。このとき、クリーナ４のクリーニング部位の直前に座屈進入阻止部材５が設けられているため、座屈した記録媒体３のクリーニング部位への進入は阻止される。
【００１４】
【発明の実施の形態】
以下、添付図面に示す実施の形態に基づいてこの発明を詳細に説明する。
◎実施の形態１
図２は、本発明を適用したカラー画像形成装置（本実施の形態ではカラー電子写真複写機）の概略構成を示す。
同図において、符号１１は感光体ドラム（潜像担持体）であり、矢線Ａ方向への回転に伴いその表面には帯電装置１２及び図示外の露光装置（図中露光ビームを符号１３で示す）等の周知の電子写真プロセスによって画像情報に応じた静電潜像が形成される。
また、この感光体ドラム１１の周囲にはイエロ（Ｙ）、マゼンタ（Ｍ）、シアン（Ｃ）及びブラック（Ｂｋ）の各色に対応した現像器１５〜１８を含む現像器ユニット１４が配設されており、感光体ドラム１１上に形成された静電潜像を現像器のいずれかで現像してトナー像Ｔを形成するようになっている。
【００１５】
また、符号２０は感光体ドラム１１の表面に当接されるよう配設された中間転写ベルトであり、複数（本実施の形態では６つ）のロール２１〜２６に張架されて矢線Ｂ方向へ回動するようになっている。
ここで、本実施の形態では、符号２１、２５は従動ロール、２２は中間転写ベルト２０の位置決めや平坦な一次転写面の形成に用いられる金属製のアイドラロール（Idler roll）、符号２３は中間転写ベルト２０の張力を一定に制御するようにしたテンションロール、２４は中間転写ベルト２０の駆動ロール、２６は二次転写用の対向ロール（バックアップロール）である。
【００１６】
そして、本実施の形態では、中間転写ベルト２０として、ポリイミド、ポリカーボネート、ポリエステル、ポリプロピレン、ポリエチレンテレフタレート、アクリル、塩化ビニル等の樹脂または各種ゴム等に帯電防止剤としてカーボンブラックを適当量含有させ、その体積抵抗率を１０6〜１０14Ωｃｍ、厚みを０．１ｍｍとしたものを用いている。
【００１７】
更に、中間転写ベルト２０の感光体ドラム１１に対向する部位（一次転写位置）において、中間転写ベルト２０の裏面側には、一次転写装置（本実施の形態では一次転写ロール）２７が配設されており、この一次転写ロール２７にトナーの帯電極性と逆極性の一次転写バイアスを印加することで、感光体ドラム１１上のトナー像Ｔが中間転写ベルト２０に静電吸引されるようになっている。
尚、符号１９は一次転写後の感光体ドラム１１上に残留したトナーを除去するドラムクリーナである。
【００１８】
また、記録媒体としての用紙３０の搬送経路に面した中間転写ベルト２０の二次転写位置には二次転写装置４０が配設されており、本実施の形態では、中間転写ベルト２０のトナー担持面側に圧接配置される二次転写ロール２８と、中間転写ベルト２０の裏面側に配設されて二次転写ロール２８の対向電極をなす対向ロール（バックアップロール）２６とを備えている。
そして、本実施の形態では二次転写ロール２８が接地されており、また、バックアップロール２６には、トナーの帯電極性と同極性の二次転写バイアスが給電ロール２９を介して安定的に印加されている。
【００１９】
更に、二次転写装置４０の下流側には、二次転写後の中間転写ベルト２０上に残留したトナーを除去するベルトクリーナ４１が中間転写ベルト２０に対して接離可能に設けられている。
本実施の形態において、ベルトクリーナ４１は、図３（ａ）、（ｂ）に示すように、中間転写ベルト２０に向かって開口し且つ内部に中間転写ベルト２０上の残留トナーが回収されるクリーナハウジング４１１と、中間転写ベルト２０に接触して中間転写ベルト２０上の残留トナーを掻き取るクリーニングブレード４３と、このクリーニングブレード４３の上流側で中間転写ベルト２０に接触し中間転写ベルト２０をクリーニングする際に残留トナーが飛び散るのを防止するトナー受けフィルム４４とを備えている。
尚、図３（ａ）はベルトクリーナ４１が中間転写ベルト２０から離間した状態、図３（ｂ）はベルトクリーナ４１が中間転写ベルト２０に接触した状態を示している。
【００２０】
本実施の形態において、クリーニングブレード４３は、中間転写ベルト２０の移動方向に直交する方向に向かって延び且つ弾性を有するウレタンゴムからなり、その自由端が中間転写ベルト２０の移動方向に対して所謂ドクター方向に対向配置されると共に、他端の固定端が断面略Ｌ字状のブレードホルダ４３１に取り付けられ、このブレードホルダ４３１は、図４（ａ）に示すように、軸４５１を中心に揺動自在に配設されるアーム４５に取り付けられている。そして、このアーム４５の背面側には、このアーム４５を揺動せしめる偏心カム４６が配設されている。
【００２１】
また、トナー受けフィルム４４は、前記クリーニングブレード４３と同方向に向かって延び且つクリーニングブレード４３より若干大きな幅を有する厚さ０．０５ｍｍのポリエチレンテレフタレート等の樹脂フィルムからなり、その自由端が中間転写ベルト２０の移動方向に対して所謂ワイパー方向に対向配置されると共に、他端の固定端が断面略Ｌ字状のフィルムホルダ４４１に取り付けられ、このフィルムホルダ４４１は、図４（ａ）に示すように、軸４８１を中心に揺動自在に配設される保持板金４８に取り付けられている。
尚、符号４７はクリーナハウジング４１１内に回収された廃トナーをクリーナ外部の貯蔵ハウジング（図示せず）へ搬送するための廃トナー搬送路を示す。
【００２２】
更に、本実施の形態では、ベルトクリーナ４１が中間転写ベルト２０から離間した状態（図３（ａ）参照）において、クリーニングブレード４３自由端とトナー受けフィルム４４との自由端との間の距離ｄ１が２ｍｍ以下に設定されている。
これは、クリーニング後にクリーナハウジング４１１内で舞っている廃トナーのハウジング外部への漏出を防止するという観点に基づくものである。
【００２３】
また、クリーニングブレード４３自由端と中間転写ベルト２０面との距離ｄ２及びトナー受けフィルム４４と中間転写ベルト２０面との距離ｄ３は共に３ｍｍ以下に選定され、特に、本実施の形態では、ｄ３＜ｄ２に設定されている。
これは、残留トナーのこぼれやクリーニングブレード４３自由端に付着した残留トナーの飛び散りを防止するという観点に基づくものである。
【００２４】
次に、クリーニングブレード４３及びトナー受けフィルム４４の揺動機構について説明する。
本実施の形態において、クリーニングブレード４３が保持されるアーム４５の最下部には、図４（ａ）（ｂ）に示すように、凹部４５３が形成されており、この凹部４５３にはバネ４９ａが取り付けられクリーニングブレード４３を中間転写ベルト２０に向かって付勢するようになっている。
一方、トナー受けフィルム４４が保持される保持板金４８にもバネ４９ｂが取り付けられ、トナー受けフィルム４４を中間転写ベルト２０に向かって付勢するようになっている。
尚、図４（ａ）はベルトクリーナ４１が中間転写ベルト２０から離間した状態、図４（ｂ）はベルトクリーナ４１が中間転写ベルト２０に接触した状態を示している。
【００２５】
また、クリーニングブレード４３が保持されるアーム４５及びトナー受けフィルム４４が保持される保持板金４８は、バネ４９ｃを介して接続され、偏心カム４６の回転に伴って両者がリンクして揺動せしめられるようになっている。そして、バネ４９ｃは、その両端が夫々アーム４５の下部に設けられた突起４５２及び保持板金４８に設けられた穿孔４８２に取り付けられている。
特に、本実施の形態では、ベルトクリーナ４１が中間転写ベルト２０から離間した状態におけるバネ４９ｃの長さｄ４（図４（ａ）参照）、バネ４９ｃの自由長Ｌ、ベルトクリーナ４１が中間転写ベルト２０に接触した状態におけるバネ４９ｃの長さｄ５（図４（ｂ）参照）が、ｄ４＞Ｌ＞ｄ５の関係に設定されている。
これにより、ベルトクリーナ４１を中間転写ベルト２０に接触させるときには、バネ４９ｃが自由状態となり、クリーニングブレード４３及びトナー受けフィルム４４が相互に干渉しないようになるので、装置の振動が伝達されることによりトナーが飛散するという事態を防止することが可能となる。
【００２６】
このベルトクリーナ４１を中間転写ベルト２０から離間させる際には、図４（ａ）に示すように、偏心カム４６がアーム４５を押圧することによってアーム４５が軸４５１を中心に揺動してクリーニングブレード４３を中間転写ベルト２０から離間させる（同時にバネ４９ａが延びる）と共に、このアーム４５の揺動により、バネ４９ａを介して保持板金４８も軸４８１を中心に揺動し、トナー受けフィルム４４を中間転写ベルト２０から離間させる（同時にバネ４９ｂが縮む）。
【００２７】
一方、ベルトクリーナ４１を中間転写ベルト２０に接触させるときには、図４（ｂ）に示すように、偏心カム４６がアーム４５から離間することによってバネ４９ａが縮みアーム４５が軸４５１を中心に逆方向に揺動してクリーニングブレード４３を中間転写ベルト２０に接触させると共に、このアーム４５の揺動により、バネ４９ｃと突起４５２との係合が解除され、バネ４９ｂが延びて保持板金４８が軸４８１を中心に逆方向に揺動しトナー受けフィルム４４を中間転写ベルト２０に接触させる。
【００２８】
このとき、図３（ａ）（ｂ）に示すように、クリーナハウジング４１１に、クリーニングブレード４３の位置を決める位置決め部材４３２や、トナー受けフィルム４４の位置を決める位置決め部材４４２、４４３が配設されていれば、精度よく位置決めができ且つトナー飛散も防止できる。
【００２９】
また、本実施の形態では、ベルトクリーナ４１のクリーナハウジング４１１のうち中間転写ベルト２０の移動方向に対して最上流側に配設される部位が、座屈進入阻止部材としてのブロッカー４２としても用いられている。
本実施の形態において、ブロッカー４２は、中間転写ベルト２０の移動方向Ｂに対向する方向に配設されており、中間転写ベルト２０とブロッカー４２との最近接距離は２ｍｍである。また、ブロッカー４２と中間転写ベルト２０の上流側面との成す角度を１２０°以上、例えば１４０°に設定している。更に、本実施の形態では、ブロッカー４２及びこれと一体的に構成されるクリーナハウジング４１１が、ＡＢＳ等の樹脂により構成されている。
【００３０】
尚、前記二次転写ロール２８及びベルトクリーナ４１は、中間転写ベルト２０に対して接離可能に配設されており、複数色のカラー画像が形成される場合には、最終色前のトナー像Ｔが二次転写ロール２８及びベルトクリーナ４１を通過するまでこれらは中間転写ベルト２０から離間するようになっている。
【００３１】
更に、本実施の形態において、用紙搬送系は、用紙トレイ５０からの用紙３０をフィードロール５１で送出し、レジストレーションロール（レジストロール）５２で一旦位置決め停止させた後所定のタイミングで二次転写位置へと用紙３０を送り込むようになっており、更に、二次転写後の用紙３０を用紙搬送ガイド５５を介して搬送ベルト５３へと導き、この搬送ベルト５３より定着案内ガイド５６にて定着器５４へと搬送するようになっている。
【００３２】
次に、本実施の形態に係る画像形成装置の作像プロセスについて説明する。
今、図示外のスタートスイッチがオンされると、所定の作像プロセスが実行される。
まず、感光体ドラム１１上に静電潜像の書き込みが行われ、この静電潜像に対応した現像器によって現像される。
これは、例えば感光体ドラム１１上に書き込まれた静電潜像がイエロの画像情報に対応したものであれば、この静電潜像はイエロのトナーを内包する現像器１５で現像され、感光体ドラム１１上にはイエロのトナー像Ｔが形成される。
そして、感光体ドラム１１上に形成されたトナー像Ｔは、感光体ドラム１１と中間転写ベルト２０とが接する一次転写位置で感光体ドラム１１から中間転写ベルト２０の表面に転写される。一方、一次転写後に感光体ドラム１１上に残留したトナーはドラムクリーナ１９によって除去される。
【００３３】
このとき、単色画像を形成する場合には、中間転写ベルト２０に一次転写されたトナー像Ｔを直ちに用紙３０に二次転写するのであるが、複数色のトナー像Ｔを重ね合わせたカラー画像を形成する場合には、感光体ドラム１１上でのトナー像Ｔ形成並びにこのトナー像Ｔの一次転写の工程が色数分だけ繰り返される。
例えば、４色のトナー像を重ね合わせたフルカラー画像を形成する場合には、感光体ドラム１１上にはその一回転毎にイエロ、マゼンタ、シアン及びブラックのトナー像Ｔが形成され、これらトナー像Ｔは順次中間転写ベルト２０に一次転写される。一方、中間転写ベルト２０は最初に一次転写されたトナー像Ｔを保持したまま感光体ドラム１１と同一周期で回動し、中間転写ベルト２０上にはその一回転毎にマゼンタ、シアン及びブラックのトナー像Ｔが転写される。
【００３４】
このようにして中間転写ベルト２０に一次転写されたトナー像Ｔは、中間転写ベルト２０の回動に伴って二次転写位置へと搬送される。
一方、用紙３０はレジストロール５２にて所定のタイミングで二次転写位置へと供給され、バックアップロール２６に対して二次転写ロール２８が用紙３０をニップする。
すると、二次転写位置では、二次転写装置４０である二次転写ロール２８とバックアップロール２６との間に形成される転写電界の作用で、中間転写ベルト２０に担持されたトナー像Ｔが二次転写位置において用紙３０に静電転写される。
その後、二次転写された用紙３０は、用紙搬送ガイド５５、搬送ベルト５３及び定着案内ガイド５６を経て定着器５４へと搬送されて用紙３０上のトナー像Ｔが定着され、一方、二次転写位置を通過した中間転写ベルト２０の像担持面側は、ベルトクリーナ４１によってクリーニングされる。
【００３５】
以上は、通常の画像形成プロセスであるが、次に、二次転写終了後に用紙３０の搬送がせき止められた場合について説明する。
今、図５（ａ）に示すように、例えば用紙３０の先端が二次転写後に用紙搬送ガイド５５と搬送ベルト５３との境界域に挟まってしまったとする。
このとき、用紙３０の後部は続々と二次転写装置４０を通過してくるため、用紙３０は二次転写部出口側でカールし座屈した部位が発生する。
本実施の形態では、ベルトクリーナ４１の手前側にブロッカー４２が配設されているため、用紙３０の座屈した部位はベルトクリーナ方向に進まず、図中Ｃ方向に移動する。これにより、座屈した用紙３０のベルトクリーナ４１への進入が阻止されることとなる。
【００３６】
一方、比較のために、図５（ｂ）にブロッカー４２を設けない態様のものを示すが、このような態様にあっては、用紙３０の座屈した部位が図中Ｄ方向すなわちベルトクリーナ４１方向へと進み、ベルトクリーナ４１に進入してしまうこととなる。
【００３７】
本発明者らは、図２に示す画像形成装置を用いて、ブロッカー４２と中間転写ベルト２０の上流側面との成す角度θと、座屈した用紙３０のベルトクリーナ４１への突入率との関係について調査を行った。
この調査は、図６に示すように、二次転写装置４０の下流側の用紙搬送経路中の各位置（▲１▼〜▲３▼）に用紙３０の搬送を止めるストッパ６１を配設して強制的に用紙３０に座屈を生じさせることによって行った。また用紙３０としては、その秤量が５５ｇ／ｍ2の薄紙を用いた。
尚、▲１▼は、二次転写ロール２８と用紙搬送ガイド５５との間、▲２▼は用紙搬送ガイド５５と搬送ベルト５３との間、▲３▼は定着案内ガイド５６と定着器５４との間に用紙が挟まるという状況を想定したものである。
【００３８】
この結果を図７に示す。尚、図中カッコ内は、ベルトクリーナ４１に突入した用紙３０の割合を示し、記号○は良、△はほぼ良、×は不良を示している。
これによれば、θ＝９０°の条件では用紙３０のほとんどが座屈した状態でベルトクリーナ４１に進入し、また、θ≧１２０°の条件では用紙３０のほとんどがベルトクリーナ４１に進入しないことが判明した。本調査では、図中▲３▼の位置に用紙３０が到達した時点で既に用紙３０の後端が二次転写位置を通過していたためθ＝９０°でも問題が生じなかった。このため、▲３▼については、θ＝１２０°及び１５０°での調査を行っていない（＊印参照）。
【００３９】
このように、本実施の形態では、座屈した用紙３０がベルトクリーナ４１に進入するという事態は有効に回避される。
尚、本実施の形態では、ベルトクリーナ４１とブロッカー４２とを一体的に構成していたが、例えば図８の比較例に示すように、ブロッカー４２をベルトクリーナ４１とは別個に構成したものは除くことは勿論である。
【００４０】
◎実施の形態２
図９は、本発明が適用されるカラー画像形成装置の実施の形態２を示す。
同図において、本実施の形態に係るカラー画像形成装置は、例えば電子写真方式にて各色成分トナー像が形成される複数の画像形成ユニット１００（具体的には１００Ｋ、１００Ｙ、１００Ｍ、１００Ｃ）を並列配置し、各画像形成ユニットで形成した各色成分トナー像を中間転写ベルト１１０に順次一次転写させ、二次転写ロール１１３及びバックアップロール１１４からなる二次転写装置１２０にて供給トレイ１１６から供給される用紙１１７に中間転写ベルト１１０上の各色成分トナー像を二次転写させ、搬送ベルト１１８を介して定着器１１９に導くようにしたものである。
【００４１】
本実施の形態において、各色成分の画像形成ユニット１００は、感光体ドラム等の潜像担持体１０１の周囲に、潜像担持体１０１が帯電される一様帯電器１０２、潜像担持体１０１上に静電潜像が書き込まれるレーザ露光器１０３、各色成分トナーが収容されて潜像担持体１０１上の静電潜像が可視像化される現像器１０４、潜像担持体１０１上の各色成分トナー像が中間転写ベルト１１０に転写される一次転写ロール１０５、潜像担持体１０１上の残留トナー等が除去されるクリーナ１０６等を順次配設したものである。
また、二次転写装置１２０を構成するバックアップロール１１４には給電ロール１１５が接触配置されている。
【００４２】
また、中間転写ベルト１１０の二次転写部下流側には、中間転写ベルト１１０表面の残留トナー等を除去するベルトクリーナ１１１が配設され、このベルトクリーナ１１１の直前には、中間転写ベルト１１０の移動方向に対向する方向にブロッカー１１２が配設されている。
【００４３】
本実施の形態においても、実施の形態１と同様に、搬送不良等により二次転写後の用紙１１７に座屈が生じたときには、ブロッカー１１２によって座屈した用紙１１７のベルトクリーナ１１１への進入は阻止されることとなる。
【００４４】
【発明の効果】
以上説明したように、本発明によれば、クリーニングハウジングの一部を像担持体側に突出形成して設けられて、像担持体の回転方向上流側に像担持体と非接触に対向するように配置された座屈進入阻止部材を配設したので、転写後に座屈を生じた記録媒体がクリーニング部位へ進入することによって生じる種々の弊害を効果的に回避することができる。
【図面の簡単な説明】
【図１】  本発明に係る画像形成装置の概要を示す説明図である。
【図２】  本発明が適用されたカラー画像形成装置の実施の形態１を示す説明図である。
【図３】  （ａ）（ｂ）は、実施の形態１に係る画像形成装置のベルトクリーナの構成を示す説明図である。
【図４】  （ａ）（ｂ）は。実施の形態１に係る画像形成装置のベルトクリーナの駆動機構を示す説明図である。
【図５】  （ａ）は本実施の形態における二次転写後の用紙の挙動を模式的に示す説明図、（ｂ）は比較の形態における二次転写後の用紙の挙動を模式的に示す説明図である。
【図６】  ブロッカーと中間転写ベルトの上流側面との成す角度θと、座屈した用紙のベルトクリーナへの突入率との関係を調査するための実験装置を示す説明図である。
【図７】  ブロッカーと中間転写ベルトの上流側面との成す角度θと、座屈した用紙のベルトクリーナへの突入率との関係を示す図表である。
【図８】  実施の形態１の比較例を示す説明図である。
【図９】  本発明が適用されたカラー画像形成装置の実施の形態１を示す説明図である。
【符号の説明】
１…像担持体，１ａ…像形成担持体，１ｂ…中間転写体，２…一括転写手段，３…記録媒体，３ａ…座屈部位，４…クリーナ，５…座屈進入阻止部材，１１…感光体ドラム，２０…中間転写ベルト，２７…一次転写装置，４０…二次転写装置，４１…ベルトクリーナ，４２…ブロッカー
【図１】
0003928680.tif 000002
【図２】
0003928680.tif 000003
【図３】
0003928680.tif 000004
【図４】
0003928680.tif 000005
【図５】
0003928680.tif 000006
【図６】
0003928680.tif 000007
【図７】
0003928680.tif 000008
【図８】
0003928680.tif 000009
【図９】
0003928680.tif 000010